(57)【要約】【課題】初期動作が不安定で電力を消費する汚れ検出手段への通電を不要時にはＯＦＦすることで、消費電力を削減することのできる空気清浄機を提供することを目的としている。【解決手段】本体に設けた吸気口と、この吸気口から吸気した汚れ空気を清浄化する浄化手段としてのフィルター４と、このフィルター４に通風する送風手段としてのファンモーター５と、空気中の汚れ成分を検出する汚れ検出手段としてのガスセンサー８と、このガスセンサー８に電源を供給する電源部と、この電源部から前記ガスセンサー８への電源供給のＯＮ／ＯＦＦを制御する制御部と、人の有無を検出する人検出手段としての人感センサー９ａとを備え、前記人感センサー９ａが人が居ないことを検出している間は、前記制御部は前記電源部から前記ガスセンサー８への電源供給をＯＦＦするようにした。【選択図】図１
2010264379.tif 000002
【特許請求の範囲】
【請求項１】
本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給のＯＮ／ＯＦＦを制御する制御部と、人の有無を検出する人検出手段を備え、前記人検出手段が人が居ないことを検出している間は、前記制御部は前記電源部から前記汚れ検出手段への電源供給をＯＦＦすることを特徴とする空気清浄機。
【請求項２】
人検出手段が人が居ないことを検出してから一定時間は、前記制御部は前記電源部から前記汚れ検出手段への電源供給をＯＮ／ＯＦＦの間欠運転を行うことを特徴とする請求項１に記載の空気清浄機。
【請求項３】
人検出手段が人が居ないことを検出してから一定時間は、前記制御部は前記電源部から前記汚れ検出手段への電源供給をＯＮに保持する遅延運転を行うことを特徴とする請求項１に記載の空気清浄機。
【請求項４】
遅延運転を行っている間は、汚れ検出手段の検出感度を下げることを特徴とする請求項３に記載の空気清浄機。
【請求項５】
人検出手段が人が居ないことを検出時に汚れ検出手段が汚れを検出している場合、汚れが無くなるまで電源供給をＯＮし続けることを特徴とする請求項１に記載の空気清浄機。
【請求項６】
汚れ検出手段が汚れを検出し、かつ人検出手段が人が居ないことを検出している間は、送風手段の風量を減少させることを特徴とする請求項５に記載の空気清浄機。
【請求項７】
電源部から汚れ検出手段への電源供給がＯＦＦからＯＮに復帰した場合の前記汚れ検出手段のエージング時間を、前記電源部から前記汚れ検出手段への電源供給ＯＦＦ時間によって決定することを特徴とする請求項１から６いずれか一項に記載の空気清浄機。
【請求項８】
汚れ検出手段のエージング状態を表示する表示部を備えたことを特徴とする請求項７に記載の空気清浄機。
【請求項９】
汚れ検出手段の残エージング時間を表示する表示部を備えたことを特徴とする請求項７または８に記載の空気清浄機。
【請求項１０】
リモコンを備え、前記リモコンに人検出手段を設けたことを特徴とする請求項１から９いずれか一項に記載の空気清浄機。
【請求項１１】
報知手段を備え、汚れ検出手段への電源供給状態を報知することを特徴とする請求項１から１０いずれか一項に記載の空気清浄機。
【請求項１２】
人検出手段の検出信号を有効／無効に切替えることができるスイッチを備えたことを特徴とする請求項１から１１いずれか一項に記載の空気清浄機。
【発明の詳細な説明】
【技術分野】
【０００１】
本発明は、ガスセンサーにより室内の空気汚れを検出し、送風手段を駆動して室内空気を吸い込み、浄化手段を通して清浄化する空気清浄機に関するものである。
【背景技術】
【０００２】
従来、この種の空気清浄機は下記に記載されたものが知られている（例えば、特許文献１参照）。
【０００３】
以下、その空気清浄機について図１２および図１３を参照しながら説明する。
【０００４】
図に示すように空気清浄機の本体１０１には、前面パネル１０２が設けられ、空気を清浄化するためのフィルター１０３と、フィルター１０３に通風するファンモーター１０４と、このファンモーター１０４を運転制御する制御部１０５を備えている。また、本体１０１の前面に空気の汚れを検出するガスセンサー１０６を設けている。
【０００５】
上記構成において、ガスセンサー１０６は大気中のガス濃度により感ガス素子１０６ａの抵抗値が変化することで汚れを検出し、制御部１０５はガスセンサー１０６からの検出信号に応じてファンモーター１０４の回転数を変えてフィルター１０３への通風量を変化させ、空気の清浄化運転を行っている。また、ガスセンサー１０６が安定して動作し始めるには、感ガス素子１０６ａをヒータ１０６ｂで温め始めてから数十秒〜数分のエージング時間を必要とし、また、その後も感ガス素子１０６ａをヒータ１０６ｂで温め続けることでガスセンサー１０６が安定して動作するため、空気清浄機に電源が投入されている間は、ヒータ１０６ｂにも通電させている。
【先行技術文献】
【特許文献】
【０００６】
【特許文献１】特許第２５６３２６３号公報
【発明の概要】
【発明が解決しようとする課題】
【０００７】
このような従来の空気清浄機では、空気清浄機が使用されている部屋に人が居ないにも関わらず、常時ガスセンサーは通電しているため、ガスセンサーの汚れ検出を必要としない状態でも無駄な電力を消費しているという課題があり、ガスセンサーの汚れ検出を必要としない状態、すなわち部屋に人が居ない状態ではガスセンサーへの通電を遮断し、消費電力の削減をすることが要求されている。
【０００８】
本発明は、このような従来の課題を解決するものであり、ガスセンサーの汚れ検出を必要としない状態、すなわち空気清浄機が使用されている部屋に人が居ない状態では、ガスセンサーへの通電を遮断することで消費電力を削減することのできる空気清浄機を提供することを目的としている。
【課題を解決するための手段】
【０００９】
本発明の空気清浄機は上記目的を達成するために、本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給のＯＮ／ＯＦＦを制御する制御部と、人の有無を検出する人検出手段を備え、前記人検出手段が人が居ないことを検出している間は、前記制御部は前記電源部から前記汚れ検出手段への電源供給をＯＦＦするようにしたものである。
【００１０】
この手段により、ガスセンサーの汚れ検出を必要としない状態、すなわち空気清浄機が使用されている部屋に人が居ない状態では、ガスセンサーへの通電を遮断することで消費電力を削減することのできる空気清浄機が得られる。
【００１１】
また、本発明の空気清浄機は、人検出手段が人が居ないことを検出してから一定時間は、前記制御部は前記電源部から前記汚れ検出手段への電源供給をＯＮ／ＯＦＦの間欠運転を行うようにしたものである。
【００１２】
この手段により、人が居なくなってから一定時間の間は、汚れ検出手段が汚れ検出を継続することで、人が居なくなる直前に発生した汚れにも反応することができ、空気の清浄運転を行うことができる空気清浄機が得られる。
【００１３】
また、本発明の空気清浄機は、人検出手段が人が居ないことを検出してから一定時間は、前記制御部は前記電源部から前記汚れ検出手段への電源供給をＯＮに保持する遅延運転を行うようにしたものである。
【００１４】
この手段により、トイレなどで一時的に部屋から人が居なくなる場合には汚れ検出手段への電源供給をＯＮに保持することで、汚れ検出手段への通電が必要な状態で電源供給をＯＦＦしてしまう誤動作を防止することができる空気清浄機が得られる。
【００１５】
また、本発明の空気清浄機は、遅延運転を行っている間は、汚れ検出手段の検出感度を下げるようにしたものである。
【００１６】
この手段により、部屋に人が居ない状態では過剰な運転を抑えることができる空気清浄機が得られる。
【００１７】
また、本発明の空気清浄機は、人検出手段が人が居ないことを検出時に汚れ検出手段が汚れを検出している場合、汚れが無くなるまで電源供給をＯＮし続けるようにしたものである。
【００１８】
この手段により、部屋に汚れが残っている場合は汚れ検出を継続することで、空気の清浄運転を行うことができる空気清浄機が得られる。
【００１９】
また、本発明の空気清浄機は、汚れ検出手段が汚れを検出し、かつ人検出手段が人が居ないことを検出している間は、送風手段の風量を減少させるようにしたものである。
【００２０】
この手段により、部屋に人が居ない状態で運転する風量は部屋に人が居る状態で運転する風量より減少させることで、消費電力を削減することのできる空気清浄機が得られる。
【００２１】
また、本発明の空気清浄機は、電源部から汚れ検出手段への電源供給がＯＦＦからＯＮに復帰した場合の前記汚れ検出手段のエージング時間を、前記電源部から前記汚れ検出手段への電源供給ＯＦＦ時間によって決定するようにしたものである。
【００２２】
この手段により、電源供給ＯＦＦ時間によるエージングのばらつきに対応することができ、最適なエージング時間を設定することができる空気清浄機が得られる。
【００２３】
また、本発明の空気清浄機は、汚れ検出手段のエージング状態を表示する表示部を備えるようにしたものである。
【００２４】
この手段により、汚れ検出手段の汚れ空気中でのエージングを防ぐことができる空気清浄機が得られる。
【００２５】
また、本発明の空気清浄機は、汚れ検出手段の残エージング時間を表示する表示部を備えるようにしたものである。
【００２６】
この手段により、使用者が汚れ検出手段のエージング状態と残エージング時間を知ることができる空気清浄機が得られる。
【００２７】
また、本発明の空気清浄機は、リモコンを備え、前記リモコンに人検出手段を設けるようにしたものである。
【００２８】
この手段により、使用者が空気清浄機本体の設置場所を自由に設定することができ、人検出手段の設置位置も自由に設置することができる空気清浄機が得られる。
【００２９】
また、本発明の空気清浄機は、報知手段を備え、汚れ検出手段への電源供給状態を報知するようにしたものである。
【００３０】
この手段により、使用者が汚れ検出手段が動作しているか否かを知ることができる空気清浄機が得られる。
【００３１】
また、本発明の空気清浄機は、人検出手段の検出信号を有効／無効に切替えることができるスイッチを備えるようにしたものである。
【００３２】
この手段により、使用者が人検出手段による汚れ検出手段への電源供給のＯＮ／ＯＦＦ制御を有効／無効にするかを選択することができる空気清浄機が得られる。
【発明の効果】
【００３３】
本発明によれば、本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給のＯＮ／ＯＦＦを制御する制御部と、人の有無を検出する人検出手段を備え、前記人検出手段が人が居ないことを検出している間は、前記制御部は前記電源部から前記汚れ検出手段への電源供給をＯＦＦするようにしたことにより、ガスセンサーの汚れ検出を必要としない状態、すなわち空気清浄機が使用されている部屋に人が居ない状態では、ガスセンサーへの通電を遮断することで消費電力を削減することのできる空気清浄機が得られる。
【図面の簡単な説明】
【００３４】
【図１】本発明の実施の形態１の空気清浄機の一部破断の外観斜視図
【図２】同制御ブロック図
【図３】同フローチャート
【図４】本発明の実施の形態２のフローチャート
【図５】同フローチャート
【図６】本発明の実施の形態３のフローチャート
【図７】同ガスセンサーの汚れレベル値に対する運転風量の相関図（（イ）人が居る場合の運転風量を示す図、（ロ）人が居ない場合の運転風量を示す図、（ハ）ガスセンサーの検出汚れレベルの変化図）
【図８】本発明の実施の形態４のエージング特性図（（イ）エージング特性図、（ロ）エージング特性図）
【図９】同制御ブロック図
【図１０】本発明の実施の形態５のリモコンの外観斜視図
【図１１】同制御ブロック図
【図１２】従来の空気清浄機の一部破断の外観斜視図
【図１３】同制御ブロック図
【発明を実施するための形態】
【００３５】
本発明の請求項１記載の空気清浄機は、本体に設けた吸気口と、この吸気口から吸気した汚れ空気を清浄化する浄化手段と、この浄化手段に通風する送風手段と、空気中の汚れ成分を検出する汚れ検出手段と、この汚れ検出手段に電源を供給する電源部と、この電源部から前記汚れ検出手段への電源供給のＯＮ／ＯＦＦを制御する制御部と、人の有無を検出する人検出手段を備え、前記人検出手段が人が居ないことを検出している間は、前記制御部は前記電源部から前記汚れ検出手段への電源供給をＯＦＦするようにしたものであり、ガスセンサーの汚れ検出を必要としない状態、すなわち空気清浄機が使用されている部屋に人が居ない状態では、ガスセンサーへの通電をＯＦＦすることで消費電力を削減することができるという作用を有する。
【００３６】
また、本発明の請求項２記載の空気清浄機は、人検出手段が人が居ないことを検出してから一定時間は、前記制御部は前記電源部から前記汚れ検出手段への電源供給をＯＮ／ＯＦＦの間欠運転を行うようにしたものであり、人が居なくなってから一定時間の間は、汚れ検出手段が汚れ検出を継続することで、人が居なくなる直前に発生した汚れにも反応することができ、空気の清浄運転を行うことができるという作用を有する。
【００３７】
また、本発明の請求項３記載の空気清浄機は、人検出手段が人が居ないことを検出してから一定時間は、前記制御部は前記電源部から前記汚れ検出手段への電源供給をＯＮに保持する遅延運転を行うようにしたものであり、トイレなどで一時的に部屋から人が居なくなる場合には汚れ検出手段への電源供給をＯＮに保持することで、汚れ検出手段への通電が必要な状態で電源供給をＯＦＦしてしまう誤動作を防止することができるという作用を有する。
【００３８】
また、本発明の請求項４記載の空気清浄機は、遅延運転を行っている間は、汚れ検出手段の検出感度を下げるようにしたものであり、部屋に人が居ない状態では過剰な運転を抑えることができるという作用を有する。
【００３９】
また、本発明の請求項５記載の空気清浄機は、人検出手段が人が居ないことを検出時に汚れ検出手段が汚れを検出している場合、汚れが無くなるまで電源供給をＯＮし続けるようにしたものであり、部屋に汚れが残っている場合は汚れ検出を継続することで、空気の清浄運転を行うことができるという作用を有する。
【００４０】
また、本発明の請求項６記載の空気清浄機は、汚れ検出手段が汚れを検出し、かつ人検出手段が人が居ないことを検出している間は、送風手段の風量を減少させるようにしたものであり、部屋に人が居ない状態で運転する風量は部屋に人が居る状態で運転する風量より減少させることで、消費電力を削減することができるという作用を有する。
【００４１】
また、本発明の請求項７記載の空気清浄機は、電源部から汚れ検出手段への電源供給がＯＦＦからＯＮに復帰した場合の前記汚れ検出手段のエージング時間を、前記電源部から前記汚れ検出手段への電源供給ＯＦＦ時間によって決定するようにしたものであり、電源供給ＯＦＦ時間によるエージングのばらつきに対応することができ、最適なエージング時間を設定することができるという作用を有する。
【００４２】
また、本発明の請求項８記載の空気清浄機は、汚れ検出手段のエージング状態を表示する表示部を備えるようにしたものであり、汚れ検出手段の汚れ空気中でのエージングを防ぐことができるという作用を有する。
【００４３】
また、本発明の請求項９記載の空気清浄機は、汚れ検出手段の残エージング時間を表示する表示部を備えるようにしたものであり、使用者が汚れ検出手段のエージング状態と残エージング時間を知ることができるという作用を有する。
【００４４】
また、本発明の請求項１０記載の空気清浄機は、リモコンを備え、前記リモコンに人検出手段を設けるようにしたものであり、使用者が空気清浄機本体の設置場所を自由に設定することができ、人検出手段の設置位置も自由に設置することができるという作用を有する。
【００４５】
また、本発明の請求項１１記載の空気清浄機は、報知手段を備え、汚れ検出手段への電源供給状態を報知するようにしたものであり、使用者が汚れ検出手段が動作しているか否かを知ることができるという作用を有する。
【００４６】
また、本発明の請求項１２記載の空気清浄機は、人検出手段の検出信号を有効／無効に切替えることができるスイッチを備えるようにしたものであり、使用者が人検出手段による汚れ検出手段への電源供給のＯＮ／ＯＦＦ制御を有効／無効にするかを選択することができるという作用を有する。
【００４７】
以下、本発明の実施の形態について図面を参照しながら説明する。
【００４８】
（実施の形態１）
図１、図２に示すように、空気清浄機の本体１は略箱形に形成され、本体１の正面にはフロントパネル２を設け、フロントパネルに吸気口３を形成している。本体１内には空気を清浄化するための浄化手段としてのフィルター４と、このフィルター４に通風する送風手段としてのファンモーター５が備えられ、本体１側面に吹出口９が設けられている。ファンモーター５の駆動により吸気口３から空気が吸い込まれ、フィルター４を通って清浄された後、吹出口９から吹き出される。
【００４９】
本体１左上部には汚れ検出手段としてのガスセンサー８と、人検出手段としての人感センサー９ａが備えられている。
【００５０】
またガスセンサー８に電源を供給する電源部６と、マイクロコンピュータ１０からの信号により電源供給のＯＮ／ＯＦＦを制御する制御部７が設けられている。
【００５１】
上記構成において、人感センサー９ａの検出信号をマイクロコンピュータ１０が受信し、受信の結果が部屋に人が居ない場合は制御部７が電源部６からガスセンサー８への電源供給をＯＦＦに制御する。また、ガスセンサー８の検出信号をマイクロコンピュータ１０が受信し、ファンモーター５を駆動している。
【００５２】
次に、ガスセンサー８への電源供給のＯＮ／ＯＦＦ制御について図３に示すフローチャートを用いて動作を説明する。
【００５３】
まず、Ｓ（ステップ）１で空気清浄機の本体１に電源がＯＮされる。そうすると、Ｓ２でガスセンサー８への電源供給がＯＮされる。そして、Ｓ３で人感センサー９ａが部屋に居る人の有無を検出し、部屋に人が居る場合、Ｓ４でガスセンサー８への電源供給はＯＮのまま、継続される。またＳ３で部屋に人が居ない場合、Ｓ５で制御部７がガスセンサー８への電源供給をＯＦＦする。
【００５４】
このようにガスセンサー８の汚れ検出を必要としない状態、すなわち空気清浄機が使用されている部屋に人が居ない状態では、ガスセンサー８への通電をＯＦＦすることで消費電力を削減することができる。
【００５５】
（実施の形態２）
本実施の形態は前記実施の形態１と制御方法が異なるのみであり、同一構成のものは同一番号を付して詳しい説明は省略する。
【００５６】
ガスセンサー８への電源供給のＯＮ／ＯＦＦ制御について図４に示すフローチャートを用いて動作を説明する。
【００５７】
まず、Ｓ６で空気清浄機の本体１に電源がＯＮされる。そうすると、Ｓ７でガスセンサー８への電源供給がＯＮされる。そして、Ｓ８で人感センサー９ａが部屋に居る人の有無を検出し、部屋に人が居る場合、Ｓ９でガスセンサー８への電源供給はＯＮのまま、継続される。またＳ８で部屋に人が居ない場合、Ｓ１０で制御部７がガスセンサー８への電源供給をＯＮ／ＯＦＦの間欠運転を行う。間欠運転の一例として例えば１分間ＯＮし１分間ＯＦＦする動作を繰り返す間欠運転を行う。間欠運転中の電源供給ＯＮ時には、ガスセンサー８は動作し、汚れの検出動作を行い、電源供給ＯＦＦ時には、ガスセンサー８は汚れの検出動作は行わないが、消費電力を抑えることができる。また、この動作を繰り返すことにより消費電力を抑えながら、汚れの検出動作を継続する。Ｓ１１で間欠運転がＳ時間、例えば部屋から人が居なくなる直前に発生した汚れをガスセンサー８が検出するまでの時間の一例として、１０分経過していれば、Ｓ１２で制御部７がガスセンサー８への電源供給をＯＦＦする。またＳ１１で間欠運転が１０分経過前であれば、Ｓ８に戻り、再び部屋に居る人の有無を検出する。
【００５８】
また、別の制御方法について図５に示すフローチャートを用いて動作を説明する。
【００５９】
まず、Ｓ１３で空気清浄機の本体１に電源がＯＮされる。そうすると、Ｓ１４でガスセンサー８への電源供給がＯＮされる。そして、Ｓ１５で人感センサー９ａが部屋に居る人の有無を検出し、部屋に人が居る場合、Ｓ１６でガスセンサー８への電源供給はＯＮのまま、継続される。またＳ１５で部屋に人が居ない場合、Ｓ１７で制御部７がガスセンサー８への電源供給をＯＮに保持した遅延運転を行う。そしてＳ１８でガスセンサー８の検出感度をダウンする。Ｓ１９で遅延運転がＴ時間、例えばトイレなどで一時的に部屋から人が居なくなる場合の時間の一例として、５分経過していれば、Ｓ２０で制御部７がガスセンサー８への電源供給をＯＦＦする。またＳ１９で遅延運転が５分経過前であれば、Ｓ１５に戻り、再び部屋に居る人の有無を検出する。
【００６０】
このように間欠運転を行うことでガスセンサー８の消費電力を抑え、かつ人が居なくなってから一定時間の間は、汚れ検出手段が汚れ検出を継続することで、人が居なくなる直前に発生した汚れにも反応することができる。
【００６１】
また、トイレなどで一時的に部屋から人が居なくなる場合には汚れ検出手段への電源供給をＯＮに保持することで、汚れ検出手段への通電が必要な状態で電源供給をＯＦＦしてしまう誤動作を防止することができる。
【００６２】
なお、実施の形態２では間欠運転のＯＮ時間、ＯＦＦ時間ともに１分としたが、時間を２分以上に変更したり、ＯＮ／ＯＦＦのデューティーを５０％から変更してもよく、その作用効果に差異を生じない。
【００６３】
（実施の形態３）
本実施の形態は前記実施の形態１あるいは２と制御方法が異なるのみであり、同一構成のものは同一番号を付して詳しい説明は省略する。
【００６４】
ガスセンサー８への電源供給のＯＮ／ＯＦＦ制御について図６に示すフローチャートを用いて動作を説明する。
【００６５】
まず、Ｓ２１で空気清浄機の本体１に電源がＯＮされる。そうすると、Ｓ２２でガスセンサー８への電源供給がＯＮされる。そして、Ｓ２３で人感センサー９ａが部屋に居る人の有無を検出し、部屋に人が居る場合、Ｓ２４でガスセンサー８への電源供給はＯＮのまま、継続される。またＳ２３で部屋に人が居ない場合、Ｓ２５でガスセンサー８が汚れを検出しているか否かを判断する。汚れがある場合、Ｓ２４に戻り、ガスセンサー８への電源供給はＯＮのまま、継続される。Ｓ２５で汚れが無い場合、Ｓ２６で制御部７がガスセンサー８への電源供給をＯＦＦする。
【００６６】
また、図７に示すようにガスセンサー８の検出汚れレベルに対応した運転風量を人が居る場合と、人が居ない場合で異なる風量設定値を設けており、人が居ない場合の風量設定値は人が居る場合の風量設定値よりも小さくしている。
【００６７】
このように部屋から人が居なくなっても汚れが無くなるまでガスセンサー８への電源供給をＯＮし続けることで汚れ検出を継続し、空気の清浄運転を行うことができる。
【００６８】
また、部屋に人が居ない状態で運転する風量は部屋に人が居る状態で運転する風量より減少させることで、消費電力を削減することができる。
【００６９】
（実施の形態４）
本実施の形態は前記実施の形態１あるいは２と制御方法が異なるのみであり、同一構成のものは同一番号を付して詳しい説明は省略する。
【００７０】
図８に示すように、制御部７によるガスセンサー８への電源供給ＯＦＦ時間に対して、電源供給ＯＮ復帰時のエージング時間を決定するものである。
【００７１】
また図９に示すように、表示部としての液晶１１を備え、ガスセンサー８のエージング状態を液晶１１で表示を行う。
【００７２】
上記構成において、例えば図８の（イ）に示すように電源供給ＯＦＦ時間が４時間まではエージング時間が３０秒、４時間以上８時間未満ではエージング時間が１分、８時間以上１２時間未満ではエージング時間が１分３０秒、１２時間以上ではエージング時間は２分と段階的にエージング時間を設定することでエージング時間のパターンを少なくしている。また、図８の（ロ）に示すように電源供給ＯＦＦ時間が１２時間未満までは、電源供給ＯＦＦ時間が増加すればエージング時間も増加する比例関係とし、１２時間以上ではエージング時間は２分とリニアにエージング時間を設定することで少しでもエージング時間を短くしている。また、ガスセンサー８がエージング中であるか否か、残エージング時間を液晶１１にて表示を行うことで、使用者がガスセンサー８のエージング状態を知ることができ、ガスセンサー８のエージング中に使用者がタバコなどを喫煙し、汚れを発生させるのを防ぐことができる。
【００７３】
このように電源供給ＯＦＦ時間によるエージングのばらつきに対応することができ、最適なエージング時間を設定することができる。
【００７４】
また、使用者がガスセンサー８のエージング状態や残エージング時間を知ることで、ガスセンサー８のエージング中に使用者がタバコなどを喫煙することを防ぎ、汚れ空気中でのエージングを防ぐことができる。
【００７５】
（実施の形態５）
本実施の形態は前記実施の形態１あるいは２と制御方法が異なるのみであり、同一構成のものは同一番号を付して詳しい説明は省略する。
【００７６】
図１０に示すように、リモコン１２を備え、リモコン１２に人感センサー９ａを設けている。また、図１１に示すように、報知手段としてのＬＥＤ１３と、人感センサー９ａの検出信号を有効／無効に切替えることができるスイッチ１４を備えている。
【００７７】
上記構成において、ガスセンサー８への電源供給状態を電源供給ＯＮであれば、ＬＥＤ１３を点灯させ、電源供給ＯＦＦであれば、ＬＥＤ１３を消灯し、報知する。
【００７８】
このように使用者が空気清浄機の本体１の設置場所を自由に設定することができ、人感センサー９ａの設置位置も自由に設置することができる。
【００７９】
また、使用者がガスセンサー８が動作しているか否かを知ることで、ガスセンサー８が動作している時は自動運転、ガスセンサー８が動作していない時は手動運転に設定することができ、最適な運転モードに設定することができる。
【００８０】
また、使用者が人感センサー９ａによるガスセンサー８への電源供給のＯＮ／ＯＦＦ制御を有効／無効にするかを選択することができ、有効にすることで部屋に居る人の有無によるガスセンサー８の消費電力を削減した動作ができ、無効にすることで部屋に人は居なくてもペットなどが居る場合に対応でき、ペット臭に対する空気清浄運転ができる。
【００８１】
なお、実施の形態５では報知手段としてＬＥＤ１３としたが、ブザーであってもよく、その作用効果に差異を生じない。
【産業上の利用可能性】
【００８２】
電力を消費するセンサーの省エネを行うことができるので、センサーを備えた加湿器あるいは除湿機にも適用できる。
【符号の説明】
【００８３】
１    本体
３    吸気口
４    フィルター（浄化手段）
５    ファンモーター（送風手段）
６    電源部
７    制御部
８    ガスセンサー（汚れ検出手段）
９ａ  人感センサー（人検出手段）
１１  液晶（表示部）
１２  リモコン
１３  ＬＥＤ（報知手段）
１４  スイッチ
【図１】
2010264379.tif 000003
【図２】
2010264379.tif 000004
【図３】
2010264379.tif 000005
【図４】
2010264379.tif 000006
【図５】
2010264379.tif 000007
【図６】
2010264379.tif 000008
【図７】
2010264379.tif 000009
【図８】
2010264379.tif 000010
【図９】
2010264379.tif 000011
【図１０】
2010264379.tif 000012
【図１１】
2010264379.tif 000013
【図１２】
2010264379.tif 000014
【図１３】
2010264379.tif 000015